(57)【要約】【課題】台所から出る厨芥類は多量の水分が含まれており、可燃ごみ全体における水分は５０％に及び、焼却による燃料消費の増大とともに環境への負荷も大きく、厨芥類の水分除去が大きな問題となっている。【解決手段】台所の流し台の隅に設置する三角筒状の圧縮水切り機であり、底板を四分割した四つの三角形底板に左後立板、右後立板、左前立板、右前立板をシャフトやリングで組合せて接続することにより三角筒状を折り畳むことを可能にして折り畳み圧縮で水分が絞り切れるように形製し、左右の後立板に付いているハンドルを持って内側に折り込むことによって、中に入っている厨芥類に直接手を触れずにワンタッチで圧縮して水分を絞ることができる機能的で清潔感あふれた圧縮水切り機。【選択図】図６
2007070111.tif 000002
【特許請求の範囲】
【請求項１】
方形２枚の後立板１、２、三角形状４枚の底板１５、１６、１７、１８、方形２枚の前立板３、４を組合せて接続し、三角形状に形製した圧縮水切り機であり、左後立板１の右側と右後立板２の左側を接続する部分に歯形９を作製し歯形の中心に後中央部側シャフト固定棒大１１を通す穴８を開け、後中央部側シャフト固定棒大１１を通し接続し、左後立板１の左端と右後立板２の右端にそれぞれハンドル６、５を設け、左右のハンドルの下部にシャフト固定棒を通す歯形９を作製し、左右２枚の後立板１、２と左右２枚の前立板４、３の中央部に斜線状にスリットの脱水部１０を設け、三角形状の底板４枚は二等辺三角形の頂点２１から底辺の中点１９と結ぶ中線をひき、その中線の中点２０と他の２頂点を結んでできる４つの三角形すなわち底板１５、１６、１７、１８に切断したもので、三角形状の底板４枚の周辺にリングを通す穴７を開け、左右２枚の前立板４、３の上部を内側に向けて曲げた防護庇部２２をそれぞれ形製し、前中央部側２４となる左前立板４の右端と右前立板３の左端を接続する部に歯形９を作製し、歯形の中心に前中央部側シャフト固定棒小１４を通し接続し、左右２枚の後立板１、２と左右２枚の前立板４、３の下部に三角形状の４枚の底板１５、１６、１７、１８に接続するリングを通す穴７を開け、左後立板１と左前立板４を接続する左側シャフト固定棒中１２を歯形９の中心の固定棒を通す穴８に通して接続し、右後立板２と右前立板３を接続する右側シャフト固定棒中１３を歯形９の中心の固定棒を通す穴８に通して接続し、シャフト固定棒１１、１２、１３、１４の下部の先端には吸盤状の止め部２３を設け、その上部はネジ止め２６の方式で止めるように作製し、左右の後立板１、２の下側と４枚の底板１５、１６、１７、１８と左右の前立板４、３の下側にリング２５を通して接続し、折り畳むことによって圧縮して水が切れるように構成したことを特徴とする圧縮水切り機。
【発明の詳細な説明】
【技術分野】
【０００１】  本発明は台所の流し台に設置する三角筒状の圧縮水切り機で、三角筒状上部の両端のハンドルを持ち折り畳むと水分を含んだ厨芥類が圧縮され水分が絞られ、厨芥類から水分を除去することによってごみの減量ができる圧縮水切り機に関するものである。
【背景技術】
【０００２】  従来記載されている特許（特許出願平６−５８００８）（組み立て自在の簡易水切り容器）は折り畳め、大小に調節できるようになっているが、組み立てる手間がかかり、中の厨芥類をごみ箱に捨てる過程において組み立て部分が外れる心配と組み立て部分に小さな厨芥類が付着し、見た目も不衛生でそれを掃除するのも手間がかかるなどの問題点がある。【０００３】  従来記載されている特許（特許出願平１１−２５０５８３）（流し台の生ごみの水きりかご用蓋兼用重石）は重石を置き自然に水切りを行う構造であるが、水切りに時間がかかり厨芥類の大きさ、堅さにより、重石が斜めになり平均に加圧ができず圧縮水切りの効率が悪い問題などがある。【０００４】  従来のものは台所の流し台の隅におかれる水切り三角形状器で、三角形状器に穴が開けられているか網ネット状に作られているもので、自然に水が切れるのを待っていてもなかなか水が切れない、このため三角ネットを入れても圧縮して水を切ろうとすれば直接手で絞るしかないが、厨芥類はヌルヌルして手で絞ると気持ちが悪く、手で絞ることは不潔感から容易にできない。
【発明の開示】
【発明が解決しようとする課題】
【０００５】  従来、台所の流し台に設置する三角器は、厨芥類を捨てた後は折り畳めないため洗い場が狭くなり、野菜などを洗うのに不便であり、厨芥類を圧縮していないため嵩の大きいままでごみ入れボックスに入れるとボックスが一杯になってごみ袋をいくつも使用してしまうなど問題点がある。【０００６】  可燃ごみを焼却する段階で可燃ごみ全体の約５０％が水分となっているが、これは残飯など台所から出る厨芥類に多量の水分が含まれており、特に流し台の三角器や排水口の網筒に溜まった厨芥類は強制的な水切りができなく衛生的にも悪いため、洗剤や薬剤を多く使い流しているが、このことが下水道の水質を悪化させるなどの問題があり、これらを解決するために、厨芥類に手を触れずにハンドル方式によりワンタッチで折り畳め圧縮でき水が切れ、ハンドルを持ってごみ箱へ直接捨てることができ、厨芥類の嵩も減少し処理しやすく地球環境にやさしい圧縮水切り機を提供することを目的としている。
【課題を解決するための手段】
【０００７】  本発明は前記目的を達成するために、請求項１記載の圧縮水切り機は、方形の左右２枚の後立板１、２、三角形状の４枚の底板１５、１６、１７、１８、方形の左右２枚の前立板４、３を組合せて接続し、三角筒状に形成した圧縮水切り機であり、左後立板１の右側と右後立板２の左側を接続する部分に歯形９を作製し歯形の中心に後中央部側シャフト固定棒大１１を通す穴８を開け、後中央部側シャフト固定棒大１１を通しネジ止め２６をして接続し、左後立板１の左端と右後立板２の右端にそれぞれハンドル６、５を設け、左右のハンドルの下部にシャフト固定棒を通す歯形９を作製し、左右２枚の後立板１、２、左右２枚の前立板４、３に斜線状にスリットの脱水部１０を設け、三角形状の底板４枚は二等辺三角形の頂点２１から底辺の中点１９と結ぶ中線をひき、その中線の中点２０と他の２頂点を結んでできる４つの三角形すなわち底板１５、１６、１７、１８に切断したもので、三角形状の底板４枚の周辺にリングを通す穴７を開け、左右２枚の前立板３、４の上部を内側に向けて曲げて防護庇部２２を形製し、左右２枚の後立板１、２と左右２枚の前立板４、３の下部に三角形状の４枚の底板１５、１６、１７、１８を接続するリングを通す穴７を開け、リング２５を通し接続し、左後立板１の左ハンドル下部と左前立板４の防護庇部２２の左下部に左後立板１と左前立板４を接続する左側シャフト固定棒中１２を通す歯形９を作製し歯形の中心に固定棒を通す穴８を開け左側シャフト固定棒中１２を通し接続し、右後立板２の右ハンドル下部と右前立板３の防護庇部２２の右下部に右後立板２と右前立板３を接続する右側シャフト固定棒中１３を通す歯形９を作製し歯形の中心に固定棒を通す穴８を開け、右側シャフト固定棒中１３を通し接続し、それぞれのシャフト固定棒の下部の先端には吸盤状の止め部２３を設け、その上部はネジ止め２６の方式で止め、左右２枚の後立板１、２の下側と４枚の底板１５、１６、１７、１８と左右２枚の前立板４、３の下側にリング２５を通して接続し、左前立板４と右前立板３の前中央部側２４となる部分に歯形９を作製し歯形の中心にシャフト棒を通す穴８を設けて前中央部側シャフト棒小１４を通しネジ止め２６をして接続して三角形状に作製し、両ハンドルを持ちワンタッチで折り畳め圧縮して水が切れるように構成したことを特徴とする圧縮水切り機。
【発明の効果】
【０００８】  本発明の圧縮水切り機は強度が大きな合成樹脂またはステンレスで製作した左後立板１、右後立板２、左前立板４、右前立板３の底となる三角形状に切断した４枚の底板１５、１６、１７、１８からなり、後中央部側シャフト固定棒大１１、左側シャフト固定棒中１２、右側シャフト固定棒中１３を固定棒を通す穴８に通し接続し、左前立板４、右前立板３の前中央部側２４に歯形９を作製し歯形の中心に前中央部側シャフト棒小１４を通す穴８を設けて前中央部側シャフト固定棒小１４を通すことによりバランスよく折り畳め、４枚の底板１５、１６、１７、１８のそれぞれにリング２５を通し接続するためのすべてのリングを通す穴７は脱水の役割を果たし、左後立板１の下部、右後立板２の下部、左前立板４の下部、右前立板３の下部にあるリングを通す穴７にリング２５をそれぞれ通し接続することにより右ハンドル５、左ハンドル６を持ち内側にワンタッチで接続部分が折り畳め、中に入っている厨芥類は圧縮した時、厨芥類の飛び出し防護庇部により折り曲げられ飛び出さず圧縮され脱水され水切りができ、厨介類はコンパクトに軽量になり、この圧縮水切り機は折り畳むと平たくなり流し台の隅に置いてもスペースを取らず流し台が広く使え衛生的に優れ、今までにない大きな効果を果たす。【０００９】  本発明の圧縮水切り機は台所の流し台の隅に置くものであるとともに、台所の流しの排水口についている残飯留めの網筒の中の厨芥類も圧縮水切り機に入れ、圧縮して水切りができ、ネットなどを手で絞ると厨芥類のヌルヌル感や不潔感があるので絞らずごみに出しているため、平成１６年７月２８日付の毎日新聞に１６万人都市がごみの焼却費に１日当たり５００万円かかると掲載されたいたが、これらの焼却経費の削減に大きく役立ち、焼却するために出る二酸化炭素の排出量を削減でき、いわゆる温室効果ガスの減少につながり、各家庭で使用されることにより、地球環境を守っていく上で役立つことに着眼した、簡単に操作できる安全で便利な圧縮水切り機である。【００１０】  私共の市では環境の保全とごみの減量化のために厨芥類などの生ごみを発酵させて堆肥にするコンポストや電気による生ごみ処理機を市民が購入する場合に補助金を出す制度があるが、設置場所やにおいや電気代などの要因もあり、市内の家庭への普及割合は低い状況となっており、厨芥類などの生ごみを圧縮し水切りをすることによって生ごみの水分を減少させて環境の保全に役立つようにと圧縮水切り機を考案した。【００１１】  本発明の圧縮水切り機を使用するとワンタッチで手を汚すことなく圧縮水切りした厨芥類をごみボックスに入れられ、台所の流し台にある厨芥類を入れる網筒のごみ類も圧縮水切り機で水を切るため、焼却による二酸化炭素の排出量の減少をもたらし、ごみの分別や環境への配慮などの環境教育や情操教育に役立つ。【００１２】  本発明の圧縮水切り機は台所の流し台に置くもので、合成樹脂もしくはステンレスで水に強く、軽く、操作が簡単で長期に使用できるように強固に作製し、さらに台所の流し台に置いても花模様等の図柄を入れると、明るく美しく見え、色も薄いピンク系で試作使用したが、とても機能的で清潔感あふれる圧縮水切り機となった。【００１３】  本発明の圧縮水切り機はいろいろな用途にも使用でき、茹でた野菜など熱くて手で絞れない食品などを左後立板１を下に置き、右後立板２を上にし、横向けに使用すると手に触れることなく圧縮して水きりが簡単にできる。
【発明を実施するための最良の形態】
【００１４】  以下、本発明の実施の形態を図１〜図８に基づいて説明する。【００１５】  図１においては強度が大きな合成樹脂を使用し、圧縮水切り機となる左後立板１と右後立板２を接続するために、後中央側にシャフトの歯形９を作り、歯形の中心に後中央部側シャフト固定棒大１１を通す穴を開け、後中央側の反対側、左後立板１の左端上部に左ハンドル６とその下部にシャフトを通す歯形９を作製し、左後立板１の下部と底板を接続するリングを通す穴７を開け、左後立板１に斜線状の脱水部１０を設け、後中央側の反対側の右後立板２の右端上部に右ハンドル５とその下部にシャフトを通す歯形９を作製し、右後立板２の下部と底板を接続するリングを通す穴７を開け、右後立板２に斜線状にスリットの脱水部１０を設ける。【００１６】  図２においては圧縮水切り機の前部になる左前立板４と右前立板３を後立板１、２と接続するために前中央側の反対側の左端側と右端側に歯形９を作り、歯形部分の中心にシャフトを通す穴８を開け、左前立板４の上部と右前立板３の上部に圧縮水切りした時、水や厨芥類が飛び出さないよう防護庇部２２を設け、左前立板４の右側、右前立板３の左側にシャフトの歯形９を作り、歯形部分の中心に固定棒を通す穴８を開け、左前立板４と右前立板３の下部に底板と接続するリングを通す穴７を開け、右前立板４と左前立板３に斜線状にスリットの脱水部１０を設ける。【００１７】  図３においては圧縮水切り機の三角形状の４枚の底板１５、１６、１７、１８は、二等辺三角形の頂点２１から底辺の中点１９と結ぶ中線をひき、その中線の中点２０と他の２頂点を結んでできる４つの三角形すなわち底板１５、１６、１７、１８に切断したもので、三角形状の底板４枚の周辺にリングを通す穴７を開け、それぞれのリングを通す穴７は脱水を兼ねる穴にもなる。【００１８】  図４においては圧縮水切り機は三角形状に形製するために後中央部側シャフト固定棒大１１、左側シャフト固定棒中１２、右側シャフト固定棒中１３、前中央部側シャフト固定棒小１４を作製し、それぞれのシャフト棒の下部に吸盤上の止め部２３を作製し、固定棒を通す穴８に下側から上側に通し、ネジ止め２６の方式で接続することにより三角形状が形製できる。【００１９】  図５においては圧縮水切り機の左後立板１と右後立板２を後中央部側シャフト固定棒大１１で接続し、左後立板１と右後立板２の下部にあるリングを通す穴７と左前立板４と右前立板３の下部にあるリングを通す穴７に４枚の底板１５、１６、１７、１８のリングを通す穴７にそれぞれリング２５を通し接続し、左後立板１の左側の歯形９と左前立板４の歯形９に左側シャフト固定棒中１２を通し接続し、右後立板２の右側の歯形９と右前立板３の右側の歯形９に右側シャフト固定棒中１３を通し接続し、前中央部側２４にある歯形９に前中央部側シャフト固定棒小１４を通し接続するか、もしくは前中央部側２４にリング２５を通して接続することもできる。【００２０】  図６において圧縮水切り機の三角形状の左端側にある左ハンドル６の下部の歯形部分に左側シャフト固定棒中１２を入れ接続し、右端側にある右ハンドル下部の歯形部分に右側シャフト固定棒中１３を入れ接続して、両ハンドルを内側に畳むと左���立板４と右前立板３が内側に畳み込まれ、４枚の底板１５、１６、１７、１８の切断部分も折り畳め、ハンドルにより左後立板１と右後立板２も内側に折り畳まれ、中に入っている厨芥類が圧縮され絞られ上に飛び出そうとする大きい野菜、厨芥類は防護庇部２２により折り曲げられコンパクトとなり、水が飛び散ることなく圧縮され水切りができごみ箱にも入れやすい機能的な圧縮水切り機である。【００２１】  図７において圧縮水切り機を畳み、右後立板２から見た斜視図で、底板１５、１６、１７、１８の部分が下部になった場合は厨芥類が多く入って絞れる。【００２２】  図８において圧縮水切り機を畳み、右後立板２から見た斜視図で、底板１５、１６、１７、１８の部分を上部に入れた場合の斜視図である。
【図面の簡単な説明】
【００２３】
【図１】  本発明の後立板の構造の説明図
【図２】  本発明の前立板の構造の説明図
【図３】  本発明の底板部を切り離し、リングを通す穴を開けた説明図
【図４】  本発明の後中央部側、右側横、左側横と前中央部側を繋ぐ固定棒の斜視図
【図５】  本発明の後立板部、底板部、前立板部を固定棒とリングで繋ぐ展開図
【図６】  本発明の正面から見た斜視図
【図７】  本発明を折り畳み、底板部を下部に出して使用する時の斜視図
【図８】  本発明の底板部を内側に入れて折り畳み、使用する時の斜視図
【符号の説明】
【００２４】  １    左後立板
２    右後立板
３    右前立板
４    左前立板
５    右ハンドル
６    左ハンドル
７    リングを通す穴
８    固定棒を通す穴
９    歯形
１０    脱水部
１１    後中央部側シャフト固定棒大
１２    左側シャフト固定棒中
１３    右側シャフト固定棒中
１４    前中央部側シャフト固定棒小
１５    底板１５、１６、１７、１８
１９    底辺の中点
２０    中線の中点
２１    頂点
２２    防護庇部
２３    吸盤状の止め部
２４    前中央部側
２５    リング
２６    ネジ止め
【図１】
2007070111.tif 000003
【図２】
2007070111.tif 000004
【図３】
2007070111.tif 000005
【図４】
2007070111.tif 000006
【図５】
2007070111.tif 000007
【図６】
2007070111.tif 000008
【図７】
2007070111.tif 000009
【図８】
2007070111.tif 000010
【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
方形２枚の後立板１、２、三角形状４枚の底板１５、１６、１７、１８、方形２枚の前立板３、４を組合せて接続し、それぞれの素材は強度が大きな合成樹脂またはステンレスで三角形状に形製した圧縮水切り機であり、左後立板１の右側と右後立板２の左側の双方に互いに噛み込むように歯形９を作製し歯形の中心に後中央部側シャフト固定棒大１１を通す穴８を開け、後中央部側シャフト固定棒大１１を通し接続し、左後立板１の左端と右後立板２の右端にそれぞれハンドル６、５を設け、左右のハンドルの下部にシャフト固定棒を通す歯形９を作製し、左右２枚の後立板１、２と左右２枚の前立板４、３の中央部に斜線状にスリットの脱水部１０を設け、三角形状の底板４枚は二等辺三角形の頂点２１から底辺の中点１９と結ぶ中線をひき、その中線の中点２０と他の２頂点を結んでできる４つの三角形すなわち頂点２１から中点２０を一辺とする右上の三角状の底板１５と頂点２１から中点２０を一辺とする左上の三角状の底板１６と中点２０から底辺の中点１９を一辺とする左下の三角状の底板１７と中点２０から底辺の中点１９を一辺とする右下の三角状の底板１８に切断したもので、三角形状の底板４枚の周辺にリングを通す穴７を開け、左右２枚の前立板４、３の上部を内側に向けて曲げた防護庇部２２をそれぞれ形製し、前中央部側２４となる左前立板４の右端と右前立板３の左端の双方に互いに噛み込むように歯形９を作製し、歯形の中心に前中央部側シャフト固定棒小１４を通し接続し、左右２枚の後立板１、２と左右２枚の前立板４、３の下部に三角形状の４枚の底板１５、１６、１７、１８に接続するリングを通す穴７を開け、左後立板１と左前立板４を接続する左側シャフト固定棒中１２を左後立板１の左端の歯形９と左前立板４の左端の歯形９とを噛み込ませて、歯形９の中心の固定棒を通す穴８に通して接続し、右後立板２と右前立板３を接続する右側シャフト固定棒中１３を右後立板２の右端の歯形９と右前立板３の右端の歯形９とを噛み込ませて歯形９の中心の固定棒を通す穴８に通して接続し、シャフト固定棒１１、１２、１３、１４の下部の先端には吸盤状の止め部２３を設け、さらにシャフト固定棒１１、１２、１３、１４の各々の上部はネジ止め２６を止めて、４分割した三角状の底板の４枚は１６と１７、１６と１５、１５と１８、１７と１８を互いにリング２５で接続し、左後立板１の下側と１６、右後立板２の下側と１５、左前立板４の下側と１７、右前立板３の下側と１８にリング２５を通して接続し、折り畳むことによって圧縮して水が切れるように構成したことを特徴とする圧縮水切り機。
【手続補正２】
【補正対象書類名】明細書
【補正対象項目名】０００７
【補正方法】変更
【補正の内容】
【０００７】  本発明は前記目的を達成するために、請求項１記載の圧縮水切り機は、方形の左右２枚の後立板１、２、三角形状の４枚の底板１５、１６、１７、１８、方形の左右２枚の前立板４、３を組合せて接続し、三角筒状に形成した圧縮水切り機であり、左後立板１の右側と右後立板２の左側の双方に互いに噛み込むように歯形９を作製し歯形の中心に後中央部側シャフト固定棒大１１を通す穴８を開け、後中央部側シャフト固定棒大１１を通し接続し、左後立板１の左端と右後立板２の右端にそれぞれハンドル６、５を設け、左右２枚の後立板１、２、左右２枚の前立板４、３に斜線状にスリットの脱水部１０を設け、三角形状の底板４枚は二等辺三角形の頂点２１から底辺の中点１９と結ぶ中線をひき、その中線の中点２０と他の２頂点を結んでできる４つの三角形すなわち底板１５、１６、１７、１８に切断したもので、三角形状の底板４枚の周辺にリングを通す穴７を開け、左右２枚の前立板３、４の上部を内側に向けて曲げて防護庇部２２を形製し、左右２枚の後立板１、２と左右２枚の前立板４、３の下部に三角形状の４枚の底板１５、１６、１７、１８を接続するリングを通す穴７を開け、４分割した三角状の底板の４枚は１６と１７、１６と１５、１５と１８、１７と１８を互いにリング２５で接続し、左後立板１の下側と１６、右後立板２の下側と１５、左前立板４の下側と１７、右前立板３の下側と１８にリング２５を通し接続し、左後立板１の左ハンドル下部と左前立板４の防護庇部２２の左下部の双方に互いが噛み込むように歯形９を作製し、歯形９の中心に左後立板１と左前立板４を接続する左側シャフト固定棒中１２を通す穴８を開け左側シャフト固定棒中１２を通し接続し、右後立板２の右ハンドル下部と右前立板３の防護庇部２２の右下部の双方に互いに噛み込むように歯形９を作成し、歯形９の中心に右後立板２と右前立板３を接続する右側シャフト固定棒中１３を通す穴８を開け、右側シャフト固定棒中１３を通し接続し、左前立板４と右前立板３の前中央部側２４となる部分の双方に互いに噛み込むように歯形９を作製し歯形の中心にシャフト固定棒を通す穴８を設けて前中央部側シャフト固定棒小１４を通し接続し、それぞれのシャフト固定棒の下部の先端には吸盤状の止め部２３を設け、さらにシャフト固定棒１１、１２、１３、１４の各々の上部はネジ止め２６を止めて、三角形状に作製し、両ハンドルを持ちワンタッチで折り畳め圧縮して水が切れるように構成したことを特徴とする圧縮水切り機。
【手続補正３】
【補正対象書類名】明細書
【補正対象項目名】０００８
【補正方法】変更
【補正の内容】
【０００８】  本発明の圧縮水切り機は強度が大きな合成樹脂またはステンレスで製作した左後立板１、右後立板２、左前立板４、右前立板３と底となる三角形状に切断した４枚の底板１５、１６、１７、１８からなり、後中央部側シャフト固定棒大１１、左側シャフト固定棒中１２、右側シャフト固定棒中１３を固定棒を通す穴８に通し接続し、左前立板４、右前立板３の前中央部側２４となる部分の双方に互いに噛み込むように歯形９を作製し、歯形の中心に前中央部側シャフト固定棒小１４を通す穴８を設けて前中央部側シャフト固定棒小１４を通すことによりバランスよく折り畳め、４枚の底板１５、１６、１７、１８のそれぞれにリング２５を通し接続するためのすべてのリングを通す穴７は脱水の役割を果たし、底板の４枚は１６と１７、１６と１５、１５と１８、１７と１８を互いにリング２５で接続し、左後立板１の下側と１６、右後立板２の下側と１５、左前立板４の下側と１７、右前立板３の下側と１８にリング２５を通し接続し、右ハンドル５と左ハンドル６を持ち内側にワンタッチで接続部分が折り畳め、中に入っている厨芥類は圧縮した時、厨芥類の飛び出し防護庇部により折り曲げられ飛び出さず圧縮され脱水され水切りができ、厨介類はコンパクトに軽量になり、この圧縮水切り機は折り畳むと平たくなり流し台の隅に置いてもスペースを取らず流し台が広く使え衛生的に優れ、今までにない大きな効果を果たす。
【手続補正４】
【補正対象書類名】明細書
【補正対象項目名】００１５
【補正方法】変更
【補正の内容】
【００１５】  図１においては強度が大きな合成樹脂を使用し、圧縮水切り機となる左後立板１と右後立板２を接続するために、後中央側の双方に互いに噛み込むように歯形９を作製し、歯形の中心に後中央部側シャフト固定棒大１１を通す穴を開け、左後立板１の左端上部に左ハンドル６とその下部にシャフトを通す歯形９を作製し、左後立板１の下部と底板を接続するリングを通す穴７を開け、左後立板１に斜線状の脱水部１０を設け、後立板２の右端上部に右ハンドル５とその下部にシャフトを通す歯形９を作製し、右後立板２の下部と底板を接続するリングを通す穴７を開け、右後立板２に斜線状にスリットの脱水部１０を設ける。
【手続補正５】
【補正対象書類名】明細書
【補正対象項目名】００１６
【補正方法】変更
【補正の内容】
【００１６】  図２においては圧縮水切り機の前部になる左前立板４と右前立板３を後立板１、２と接続するために左前立板４の左端側と右前立板３の右端側の双方に歯形９を作り、歯形部分の中心にシャフトを通す穴８を開け、左前立板４の上部と右前立板３の上部に圧縮水切りした時、水や厨芥類が飛び出さないよう防護庇部２２を設け、左前立板４の右側と右前立板３の左側の双方に互いに噛み込むように歯形９を作り、歯形部分の中心に固定棒を通す穴８を開け、左前立板４と右前立板３の下部に底板と接続するリングを通す穴７を開け、右前立板４と左前立板３に斜線状にスリットの脱水部１０を設ける。
【手続補正６】
【補正対象書類名】明細書
【補正対象項目名】００１８
【補正方法】変更
【補正の内容】
【００１８】  図４においては圧縮水切り機は三角形状に形製するために後中央部側シャフト固定棒大１１、左側シャフト固定棒中１２、右側シャフト固定棒中１３、前中央部側シャフト固定棒小１４を作製し、それぞれのシャフト固定棒の下部に吸盤状の止め部２３を作製し、固定棒を通す穴８に下側から上側に通し、シャフト固定棒の上部はネジ止め２６を止めて、三角形状が形製できる。
【手続補正７】
【補正対象書類名】明細書
【補正対象項目名】００１９
【補正方法】変更
【補正の内容】
【００１９】  図５においては圧縮水切り機の左後立板１と右後立板２を後中央部側シャフト固定棒大１１で接続し、４分割した三角状の底板の４枚は１６と１７、１６と１５、１５と１８、１７と１８を互いにリング２５で接続し、左後立板１の下側と１６、右後立板２の下側と１５、左前立板４の下側と１７、右前立板３の下側と１８にリング２５を通し接続し、左後立板１の左側の歯形９と左前立板４の左側の歯形９に左側シャフト固定棒中１２を通し接続し、右後立板２の右側の歯形９と右前立板３の右側の歯形９に右側シャフト固定棒中１３を通し接続し、左前立板４と右前立板３の前中央部側２４となる部分の双方に互いに噛み込むように歯形９を作製し、歯形の中心に前中央部側シャフト固定棒小１４を通す穴８を設けて前中央部側シャフト固定棒小１４を通す。
【手続補正書】
【提出日】平成18年7月3日(2006.7.3)
【手続補正１】
【補正対象書類名】特許請求の範囲
【補正対象項目名】全文
【補正方法】変更
【補正の内容】
【特許請求の範囲】
【請求項１】
方形２枚の左後立板１、右後立板２、三角形状４枚の右後底板１５、左後底板１６、左前底板１７、右前底板１８、方形２枚の右前立板３、左前立板４を組み合わせて接続し、それぞれの素材は強度が大きな合成樹脂またはステンレスで三角形状に形製した圧縮水切り機であり、左後立板１の右側と右後立板２の左側の双方に互いに噛み込むように歯形９を作製し歯形の中心に後中央部側シャフト固定棒大１１を通す穴８を開け、後中央部側シャフト固定棒大１１を通し接続し、左後立板１の左端と右後立板２の右端にそれぞれ左ハンドル６、右ハンドル５を設け、左右のハンドルの下部にシャフト固定棒を通す歯形９を作製し、左右２枚の左後立板１及び右後立板２の中央部に後中央部側シャフト固定棒大１１を通す歯形側を上方にして左右それぞれのシャフト固定棒中１２、１３を通す歯形側を下方にして斜線状にスリットの脱水部１０を設け、左右２枚の左前立板４及び右前立板３の中央部に左右それぞれのシャフト固定棒中１２、１３を通す歯形側を上方にして前中央部側シャフト固定棒小１４を通す歯形側を下方にして斜線状にスリットの脱水部１０を設け、三角形状の底板４枚は二等辺三角形の頂点２１から底辺の中点１９と結ぶ中線をひき、その中線の中点２０と他の２頂点を結んでできる４つの三角形すなわち頂点２１から中点２０を一辺とする右上の三角状の右後底板１５と頂点２１から中点２０を一辺とする左上の三角状の左後底板１６と中点２０から底辺の中点１９を一辺とする左下の三角状の左前底板１７と中点２０から底辺の中点１９を一辺とする右下の三角状の右前底板１８に切断したもので、三角形状の底板４枚の周辺にリングを通す穴７を開け、左右２枚の左前立板４、右前立板３の上部を内側に向けて曲げた防護庇部２２をそれぞれ形製し、前中央部側２４となる左前立板４の右端と右前立板３の左端の双方に互いに噛み込むように歯形９を作製し、歯形９の中心に前中央部側シャフト固定棒小１４を通し接続し、左右２枚の左後立板１、右後立板２と左右２枚の左前立板４、右前立板３の下部に三角形状の４枚の右後底板１５、左後底板１６、左前底板１７、右前底板１８に接続するリングを通す穴７を開け、左後立板１と左前立板４を接続する左側シャフト固定棒中１２を左後立板１の左端の歯形９と左前立板４の左端の歯形９とを噛み込ませて、歯形９の中心の固定棒を通す穴８に通して接続し、右後立板２と右前立板３を接続する右側シャフト固定棒中１３を右後立板２の右端の歯形９と右前立板３の右端の歯形９とを噛み込ませて歯形９の中心の固定棒を通す穴８に通して接続し、さらに後中央部側シャフト固定棒大１１、左側シャフト固定棒中１２、右側シャフト固定棒中１３、前中央部側シャフト固定棒小１４の下部の先端には吸盤状の止め部２３を設け、さらに後中央部側シャフト固定棒大１１、左側シャフト固定棒中１２、右側シャフト固定棒中１３、前中央部側シャフト固定棒小１４の各々の上部はネジ止め２６を止めて、４分割した三角状の底板の４枚は左後底板１６と左前底板１７、左後底板１６と右後底板１５、右後底板１５と右前底板１８、左前底板１７と右前底板１８を互いにリング２５で接続し、左後立板１の下側と左後底板１６、右後立板２の下側と右後底板１５、左前立板４の下側と左前底板１７、右前立板３の下側と右前底板１８にリング２５を通して接続し、折り畳むことによって圧縮して水が切れるように構成したことを特徴とする圧縮水切り機。
【手続補正２】
【補正対象書類名】明細書
【補正対象項目名】０００７
【補正方法】変更
【補正の内容】
【０００７】  本発明は前記目的を達成するために、請求項１記載の圧縮水切り機は、方形２枚の左後立板１、右後立板２、三角形状４枚の右後底板１５、左後底板１６、左前底板１７、右前底板１８、方形２枚の右前立板３、左前立板４を組み合わせて接続し、三角形状に形製した圧縮水切り機であり、左後立板１の右側と右後立板２の左側の双方に互いに噛み込むように歯形９を作製し歯形の中心に後中央部側シャフト固定棒大１１を通す穴８を開け、後中央部側シャフト固定棒大１１を通し接続し、左後立板１の左端と右後立板２の右端にそれぞれ左ハンドル６、右ハンドル５を設け、左右２枚の左後立板１及び右後立板２の中央部に後中央部側シャフト固定棒大１１を通す歯形側を上方にして左右それぞれのシャフト固定棒中１２、１３を通す歯形側を下方にして斜線状にスリットの脱水部１０を設け、左右２枚の左前立板４及び右前立板３の中央部に左右それぞれのシャフト固定棒中１２、１３を通す歯形側を上方にして前中央部側シャフト固定棒小１４を通す歯形側を下方にして斜線状にスリットの脱水部１０を設け、三角形状の底板４枚は二等辺三角形の頂点２１から底辺の中点１９と結ぶ中線をひき、その中線の中点２０と他の２頂点を結んでできる４つの三角形すなわち右後底板１５、左後底板１６、左前底板１７、右前底板１８に切断したもので、三角形状の底板４枚の周辺にリングを通す穴７を開け、左右２枚の左前立板４、右前立板３の上部を内側に向けて曲げて防護庇部２２を形製し、左後立板１、右後立板２と左右２枚の左前立板４、右前立板３の下部に三角形状の４枚の右後底板１５、左後底板１６、左前底板１７、右前底板１８に接続するリングを通す穴７を開け、４分割した三角状の底板の４枚は左後底板１６と左前底板１７、左後底板１６と右後底板１５、右後底板１５と右前底板１８、左前底板１７と右前底板１８を互いにリング２５で接続し、左後立板１の下側と左後底板１６、右後立板２の下側と右後底板１５、左前立板４の下側と左前底板１７、右前立板３の下側と右前底板１８にリング２５を通し接続し、左後立板１の左ハンドル下部と左前立板４の防護庇部２２の左下部のの双方に互いに噛み込むように歯形９を作製し、歯形９の中心に左後立板１と左前立板４を接続する左側シャフト固定棒中１２を通す穴８を開け左側シャフト固定棒中１２を通し接続し、右後立板の右ハンドル下部と右前立板３の防護庇部２２の右下部の双方に互いに噛み込むように歯形９を作製し、歯形９の中心に右後立板２と右前立板３を接続する右側シャフト固定棒中１３を通す穴８を開け、右側シャフト固定棒中１３を通し接続し、左前立板４、右前立板３の前中央部側２４となる部分の双方に互いに噛み込むように歯形９を作製し歯形９の中心にシャフト固定棒を通す穴８を設けて前中央部側シャフト固定棒小１４を通し接続し、それぞれのシャフト固定棒の下部の先端には吸盤状の止め部２３を設け、さらに後中央部側シャフト固定棒大１１、左側シャフト固定棒中１２、右側シャフト固定棒中１３、前中央部側シャフト固定棒小１４の各々の上部はネジ止め２６を止めて、三角形状を作製し、両ハンドルを持ちワンタッチで折り畳め圧縮して水が切れるように構成したことを特徴とする圧縮水切���機。
【手続補正３】
【補正対象書類名】明細書
【補正対象項目名】０００８
【補正方法】変更
【補正の内容】
【０００８】  本発明の圧縮水切り機は強度が大きな合成樹脂またはステンレスで製作した左後立板１、右後立板２、左前立板４、右前立板３と底となる三角形状に切断した４枚の右後底板１５、左後底板１６、左前底板１７、右前底板１８からなり、後中央部側シャフト固定棒大１１、左側シャフト固定棒中１２、右側シャフト固定棒中１３を固定棒を通す穴８に通し接続し、左前立板４、右前立板３の前中央部側２４となる部分の双方に互いに噛み込むように歯形９を作製し歯形９の中心に前中央部側シャフト固定棒小１４を通す穴８を設けて、前中央部側シャフト固定棒小１４を通すことによりバランス良く折り畳め、４枚の右後底板１５、左後底板１６、左前底板１７、右前底板１８のそれぞれにリング２５を通し接続するためのすべてのリングを通す穴７は脱水の役割を果たし、底板の４枚は左後底板１６と左前底板１７、左後底板１６と右後底板１５、右後底板１５と右前底板１８、左前底板１７と右前底板１８を互いにリング２５で接続し、左後立板１の下側と左後底板１６、右後立板２の下側と右後底板１５、左前立板４の下側と左前底板１７、右前立板３の下側と右前底板１８にリング２５を通して接続し、右ハンドル５と左ハンドル６を持ち内側にワンタッチで接続部分が折り畳め、中に入っている厨芥類は圧縮したとき、厨芥類の飛び出し防護庇部により折り曲げられ飛び出さず圧縮され脱水され水切りができ、厨芥類はコンパクトに軽量になり、この圧縮水切り機は折り畳むと平たくなり流し台の隅に置いてもスペースを取らず流し台が広く使え衛生的に優れ、今までにない大きな効果を果たす。
【手続補正４】
【補正対象書類名】明細書
【補正対象項目名】００１５
【補正方法】変更
【補正の内容】
【００１５】  図１においては強度が大きな合成樹脂を使用し、圧縮水切り機となる左後立板１と右後立板２を接続するために、後中央部側の双方に互いに噛み込むように歯形９を作製し、歯形の中心に後中央部側シャフト固定棒大１１を通す穴を開け、左後立板１の左端上部に左ハンドル６とその下部にシャフトを通す歯形９を作製し、左後立板１の下部と底板を接続するリングを通す穴７を開け、左後立板１の右端側を上方に左端側を下方に斜線状にスリットの脱水部１０を設け、右後立板２の右端上部に右ハンドル５とその下部にシャフトを通す歯形９を作製し、右後立板２の下部と底板を接続するリングを通す穴７を開け、右後立板２の左端側を上方に右端側を下方に斜線状にスリットの脱水部１０を設ける。
【手続補正５】
【補正対象書類名】明細書
【補正対象項目名】００１６
【補正方法】変更
【補正の内容】
【００１６】  図２においては圧縮水切り機の前部になる左前立板４と右前立板３を左後立板１、右後立板２と接続するために左前立板４の左端側と右前立板３の右端側の双方に歯形９を作り、歯形９部分の中心にシャフトを通す穴８を開け、左前立板４の上部と右前立板３の上部に圧縮水切りした時、水や厨芥類が飛び出さないように防護庇２２を設け、左前立板４の右側と右前立板３の左側の双方に互いに噛み込むように歯形９を作り、歯形９部分の中心に固定棒を通す穴８を開け、左前立板４と右前立板３の下部に底板と接続するリングを通す穴７を開け、左前立板４の左端側を上方に右端側を下方に、右前立板３の右端側を上方に左端側を下方に斜線状にスリットの脱水部１０を設ける。
【手続補正６】
【補正対象書類名】明細書
【補正対象項目名】００１７
【補正方法】変更
【補正の内容】
【００１７】  図３においては圧縮水切り機の三角形状の４枚の右後底板１５、左後底板１６、左前底板１７、右前底板１８は、二等辺三角形の頂点２１から底辺の中点１９と結ぶ中線をひき、その中線の中点２０と他の２頂点を結んでできる４つの三角形すなわち右後底板１５、左後底板１６、左前左前底板１７、右前底板１８に切断したもので、三角形状の底板４枚の周辺にリングを通す穴７を開け、それぞれのリングを通す穴７は脱水を兼ねる穴にもなる。
【手続補正７】
【補正対象書類名】明細書
【補正対象項目名】００１９
【補正方法】変更
【補正の内容】
【００１９】  図５においては圧縮水切り機の左後立板１と右後立板２を後中央部側シャフト固定棒大１１で接続し、４分割した三角状の底板の４枚は左後底板１６と左前底板１７、左後底板１６と右後底板１５、右後底板１５と右前底板１８、左前底板１７と右前底板１８を互いにリング２５で接続し、左後立板１の下側と左後底板１６、右後立板２の下側と右後底板１５、左前立板４の下側と左前底板１７、右前立板３の下側と右前底板１８にリング２５を通し接続し、左後立板１の左側の歯形９と左前立板４の左側の歯形９に左側シャフト固定棒中１２を通し接続し、右後立板２の右側の歯形９と右前立板３の右側の歯形９に右側シャフト固定棒中１３を通し接続し、左前立板４、右前立板３の前中央部側２４となる部分の双方に互いに噛み込むように歯形９を作製し歯形９の中心に前中央部側シャフト固定棒小１４を通す穴８を設けて前中央部側シャフト固定棒小１４を通す。
【手続補正８】
【補正対象書類名】明細書
【補正対象項目名】００２０
【補正方法】変更
【補正の内容】
【００２０】  図６において圧縮水切り機の三角形状の左端側にある左ハンドル６の下部の歯形９部分に左側シャフト固定棒中１２を入れ接続し、右端側にある右ハンドル下部の歯形９部分に右側シャフト固定棒中１３を入れ接続して、両ハンドルを内側に畳むと左前立板４と右前立板３が内側に畳み込まれ、４枚の右後底板１５、左後底板１６、左前底板１７、右前底板１８の切断部分も折り畳まれ、中に入っている厨芥類が圧縮され絞られ上に飛び出そうとする大きい野菜、厨芥類は防護庇部２２により折り曲げられコンパクトとなり、水が飛び散ることなく圧縮され水切りができごみ箱にも入れやすい機能的な圧縮水切り機である。
【手続補正９】
【補正対象書類名】明細書
【補正対象項目名】００２１
【補正方法】変更
【補正の内容】
【００２１】  図７において圧縮水切り機を畳み、右後立板２から見た斜視図で、右後底板１５、左後底板１６、左前底板１７、右前底板１８の部分が下部になった場合は厨芥類が多く入って絞れる。
【手続補正１０】
【補正対象書類名】明細書
【補正対象項目名】００２２
【補正方法】変更
【補正の内容】
【００２２】  図８において圧縮水切り機を畳み、右後立板２から見た斜視図で、右後底板１５、左後底板１６、左前底板１７、右前底板１８の部分を上部に入れた場合の斜視図である。
【手続補正１１】
【補正対象書類名】明細書
【補正対象項目名】００２４
【補正方法】変更
【補正の内容】
【００２４】  １    左後立板
２    右後立板
３    右前立板
４    左前立板
５    右ハンドル
６    左ハンドル
７    リングを通す穴
８    固定棒を通す穴
９    歯形
１０    脱水部
１１    後中央部側シャフト固定棒大
１２    左側シャフト固定棒中
１３    右側シャフト固定棒中
１４    前中央部側シャフト固定棒小
１５    右後底板
１６    左後底板
１７    左前底板
１８    右前底板
１９    底辺の中点
２０    中線の中点
２１    頂点
２２    防護庇部
２３    吸盤状の止め部
２４    前中央部側
２５    リング
２６    ネジ止め